(57)【要約】      （修正有）【課題】実験者に指先の苦痛を与えることなく簡便な方法で多連ＰＣＲチューブのキャップを着脱する多連ＰＣＲチューブのキャップ着脱具を提供する。【解決手段】多連ＰＣＲチューブを着脱可能に保持する複数の凹部を設けた基体２と、基体２と接してスライドする蓋体５とからなる。蓋体５は、前記チューブを取り付けた基体２に当接してチューブ開口部に多連キャップを装着するための押し付け部と、当該装着された多連キャップと基体２との間隙部に差し込んで前記多連キャップをチューブから取り外すための櫛形突起とを備える。【選択図】図４
0003206657.tif 000002
【実用新案登録請求の範囲】
【請求項１】
多連ＰＣＲチューブを着脱可能に保持する複数の凹部を設けた基体と、前記基体と接してスライドする蓋体とからなり、
前記蓋体は、前記チューブを取り付けた基体に当接してチューブ開口部に多連キャップを装着するための押し付け部と、当該装着された多連キャップと基体との間隙部に差し込んで前記多連キャップをチューブから取り外すための櫛形突起とを備えることを特徴とする、多連ＰＣＲチューブのキャップ着脱具。
【請求項２】
前記櫛形突起の櫛部の厚さが、突起の先端部に向けて先細りしている請求項１に記載のキャップ着脱具。
【請求項３】
前記押し付け部が、ドーム型キャップを装着するための複数の窪みと、フラット型キャップを装着するための平滑面の両方を備える請求項１又は２に記載のキャップ着脱具。
【請求項４】
前記蓋体が前記櫛形突起を前記間隙部に差し込むときの位置決め用の切り欠き部を有し、前記基体が当該切り欠き部に係合する突起部を有する請求項１〜３何れか一項に記載のキャップ着脱具。
【請求項５】
前記基体及び蓋体が、それらの一部表面を接触させて互いにスライドしうる平滑面を有し、前記蓋体は、当該平滑面の端部に前記櫛形突起を備えるとともに、当該平滑面の一部を窪ませたガイド溝によって前記押し付け部を形成する請求項１又は２に記載のキャップ着脱具。
【考案の詳細な説明】
【技術分野】
【０００１】
本考案は、８連ＰＣＲチューブのような多連ＰＣＲチューブに、多連キャップを簡単に装着及び取り外すことのできる、多連ＰＣＲチューブのキャップ着脱具に関する。
【背景技術】
【０００２】
ポリメラーゼ連鎖反応（Polymerase Chain Reaction: PCR)による核酸増幅技術は、医学的診断、法医学分野でのＤＮＡ分析、ヒト、動物又は植物のための病原性微生物検出、分子生物学研究などといったさまざまな分野で利用されている。
【０００３】
多数のサンプルを取り扱う場合に使用される９６ウェルＰＣＲプレートの他にも、より少ない数のサンプルを取り扱うために８連又は１２連チューブが使用されている。例えば、リアルタイムＰＣＲ装置であるロシュ・ダイアグノスティクス社製LightCycler Nanoを用いる場合は、専用の８連ＰＣＲチューブが用いられる。チューブの形状は使用するサーマルサイクラーに依存するが、多くのサーマルサイクラーで使用可能な規格化された多連チューブも販売されている。一般的には、０．２ｍｌ容量の８連ＰＣＲチューブが使用される。ドーム型またはフラット型の８連キャップとともに使用され、このキャップはチューブと連結されていてもあるいは切り離されていてもよい。
【０００４】
ＰＣＲ反応を行う際は、それぞれのチューブ間でサンプルの混入を防止するため、及び高温反応中に微量サンプルの蒸発を防止するためにキャップの着脱を行う必要がある。指先で一つ一つキャップ着脱を行う操作は手間と時間がかかり実験の効率を下げるだけでなく、実験者に指先の苦痛を与えていた。
【０００５】
特許文献１には、９６ウェルＰＣＲプレートの各ウェルの列間の間隔に入り、９６ウェルＰＣＲプレートと９６ウェルＰＣＲプレート用キャップとの間隙に差し込むキャップ取り外し工具が開示されている。「てこ」の原理を利用した本考案の工具は９６ウェルＰＣＲプレート用キャップの取り外しには適しているが、８連ＰＣＲチューブのような連結チューブのキャップ着脱には、支点の固定が難しく、扱いにくいという問題があった。
【先行技術文献】
【特許文献】
【０００６】
【特許文献１】実用新案登録第３０９４９７６号公報
【考案の概要】
【考案が解決しようとする課題】
【０００７】
本考案の目的は、実験者に指先の苦痛を与えることなく簡便な方法で多連ＰＣＲチューブのキャップを着脱する治具を提供することである。
【課題を解決するための手段】
【０００８】
本考案の多連ＰＣＲチューブのキャップ着脱具は、多連ＰＣＲチューブを着脱可能に保持する複数の凹部を設けた基体と、前記基体と接してスライドする蓋体とからなる。前記蓋体は、前記チューブを取り付けた基体に当接してチューブ開口部に多連キャップを装着するための押し付け部と、当該装着された多連キャップと基体との間隙部に差し込んで前記多連キャップをチューブから取り外すための櫛形突起とを備えることを特徴とする。
【考案の効果】
【０００９】
本考案により、実験者は指先の苦痛を感じることなく簡便な方法で多連ＰＣＲチューブのキャップを着脱することができる。
【図面の簡単な説明】
【００１０】
【図１】実施例１のキャップ着脱具を構成する基体の斜視図である。
【図２】実施例１のキャップ着脱具を構成する蓋体の上部斜視図である。
【図３】実施例１のキャップ着脱具を構成する蓋体の裏面斜視図である。
【図４】実施例１のキャップ着脱具の斜視図である。
【図５】実施例２のキャップ着脱具の斜視図である。
【考案を実施するための形態】
【００１１】
以下、本考案に係るキャップ着脱具を実施例に基づいて説明する。
図１は、実施例１に係るキャップ着脱具を構成する基体２を示す。基体２は、８連ＰＣＲチューブを着脱可能に保持する８個の凹部３を有する。８連ＰＣＲチューブを安定に保持しうる限り、凹部３の位置、形状、材質は特に限定されないが、直方体の１つの面の辺縁に沿って複数の凹部３を設けることが好ましい。ＰＣＲチューブの形状に合わせて８連又は１２連等の任意の個数とすることができる。凹部３の形状及びそれらの間隔も多連チューブの寸法に合わせて設定することができる。８個の凹部３の両端には、蓋体と係合する際に位置決めを行うための突起部４を有することが好ましい。
【００１２】
基体２の材質としては、ステンレス、アルミブロック等の金属材料、ＰＣ（ポリカーボネート樹脂）、ＰＰ（ポリプロピレン樹脂）、ＰＥ（ポリエチレン樹脂）等のプラスチック材料等、特に制限はない。成型加工の容易性の観点からはプラスチック材料が適している。一方、金属材料を用いると、金型を作る必要がなく、８連チューブにサンプルを分注する際のサンプル台としても使用でき、そのためある程度の重みのあるアルミブロックを用いてもよい。
【００１３】
図２は、基体２と接してスライド可能な蓋体５を示す。その一辺には、８連チューブに装着された８連キャップと基体２との間隙部に差し込んで８連キャップをチューブから取り外すための９個の櫛形突起６を有する。櫛形突起６の櫛部の厚さは、突起の先端部に向けて先細りしている。これにより、蓋体５を基体２と接してスライドさせたときに、装着された８連キャップと基体２との間隙部に前記突起の先端部を差し込むことができる。蓋体５は、位置決め用の切り欠き部７を備え、これを前記基体上の突起部４と係合させることにより、櫛形突起６を前記間隙部に差し込むための位置合わせを行う。
【００１４】
蓋体５の材質も特に制限されないが、櫛形突起６などの複雑な形状の加工性の観点からプラスチック材料を用いることが好ましい。機械的強度があるプラスチック材料としては、ＰＣ（ポリカーボネート樹脂）、ＰＥＴ（ポリエチレンテフタレート樹脂）、ＰＯＭ（ポリアセタール樹脂）、ＰＴＦＥ（フッ素樹脂）、ＰＥＥＫ（ポリエーテルエーテルケトン）、ＰＦ（フェノール樹脂）、ＥＰ（エポキシ樹脂）などを用いることができる。
【００１５】
図３は、蓋体５を裏面から見た斜視図である。蓋体５の裏面には、８連チューブを取り付けた基体２に係合する際に、チューブ開口部に８連キャップを装着するための押し付け部８を有する。蓋体５は、ドーム型キャップを装着するための８個の窪み９を有する押し付け部８と、フラット型キャップを装着するための平滑面からなる押し付け部８の両方を備えることが好ましい。それぞれの場合を使い分けるための位置決め用の円筒状の突起物１０が備えられ、これは基体２の有する突起部４に嵌合する。すなわち、実施例１のキャップ着脱具は、キャップ装着時には、８連チューブ上に８連キャップを乗せた状態で保持する基体２の上部から蓋体５の裏面を当接して押し付けることにより８連キャップを８連チューブに装着することができる。
【００１６】
図４は、実施例１に係るキャップ着脱具１である。図４では、８連キャップ１２を装着した８連チューブ１１を保持する基体２に、蓋体５を接触させて、キャップ１２と基体２との間隙部に櫛形突起６を差し込んだ状態を示し、櫛形突起６により８連キャップ１２が８連チューブ１１から取り外された状態にある。すなわち、キャップ１２を取り外す場合は、上記装着時とは反対の向きで蓋体５を基体２の上に接触させて、蓋体５の切り欠き部７に基体２の突起部４を係合するようにスライドさせることで容易にキャップ１２を取り外すことができる。
【００１７】
図５は、本発明の他の実施形態である実施例２のキャップ着脱具を示す。実施例２のキャップ着脱具１は、８連ＰＣＲチューブを着脱可能に保持する複数の凹部３を設けた基体２と、基体２と接してスライドしうる蓋体５とからなる。基体２の凹部３を有する表面と、蓋体５の裏面とは、それらを接触させて互いにスライドさせるための平滑面を有する。実施例１で設けた基体２の突起物４や、蓋体５の切り欠き部７が無くてもよい。基体２と蓋体５の裏面とが接する平滑面を相互にスライドさせて櫛形突起６をキャップと基体２との間隙部に差し込むことにより容易にキャップを取り外すことができる。蓋体５の裏面には、平滑面の一部を窪ませたガイド溝１３が形成され、これに８連キャップをはめ込んで押し付けることにより８連チューブの対応する開口部に８連キャップを装着することができる。
【００１８】
［効果］
（１）多連ＰＣＲチューブを着脱可能に保持する複数の凹部３を設けた基体２と、基体２と接してスライドする蓋体５とからなり、蓋体５は、チューブを取り付けた基体２に当接してチューブ開口部に多連キャップを装着するための押し付け部８と、装着された多連キャップと基体２との間隙部に差し込んで前記多連キャップをチューブから取り外すための櫛形突起６とを備えるようにした。
よって、本考案のキャップ着脱具は、実験者の指先の苦痛を緩和して多連チューブを簡便かつ確実に装着及び脱着することができる。
【００１９】
（２）櫛形突起６の櫛部の厚さが、突起の先端部に向けて先細りしているようにした。よって、８連チューブを容易に取り外すことができる。
【００２０】
（３）押し付け部８が、ドーム型キャップを装着するための複数の窪み９と、フラット型キャップを装着するための平滑面の両方を備えるようにした。よって、キャップの形状に合わせてより的確にキャップを装着することができる。
【００２１】
（４）蓋体２が櫛形突起６を間隙部に差し込むときの位置決め用の切り欠き部７を有し、基体２が切り欠き部７に係合する突起部４を有するようにした。よって、８連キャップと基体２の間隙部に櫛形突起６を挿入する際の位置決めを容易に行うことができる。
【００２２】
（５）基体２及び蓋体５が、それらの一部表面を接触させて互いにスライドしうる平滑面を有し、蓋体２は、平滑面の端部に櫛形突起６を備えるとともに、平滑面の一部を窪ませたガイド溝１３によって前記押し付け部を形成するようにした。よって、平滑面全体を用いてスライドさせるためスムーズにキャップ取り外しが可能となる。
【符号の説明】
【００２３】
１      キャップ着脱具
２      基体
３      凹部
４      突起部
５      蓋体
６      櫛形突起
７      切り欠き部
８      押し付け部
９      窪み
１０    円筒状の突起物
１１    ８連チューブ
１２    ８連キャップ
１３    ガイド溝
【図１】
0003206657.tif 000003
【図２】
0003206657.tif 000004
【図３】
0003206657.tif 000005
【図４】
0003206657.tif 000006
【図５】
0003206657.tif 000007